(57)【要約】【課題】乗用型芝刈機において、機体に対するモアの位置を上下に変更可能に構成した場合、モアの刈芝排出口から排出された刈芝を、ダクトを介して支障なく後方に案内することができるように構成する。【解決手段】モアの刈芝排出口２１から排出された刈芝をダクト２２の入口２２ｃに案内する案内部材２３を、モアの刈芝排出口２１又はダクト２２の入口２２ｃに上下に揺動自在に支持して、案内部材２３をモアの刈芝排出口２１とダクト２２の入口２２ｃとに亘って架設し、モアの位置を上下に変更することに伴って、案内部材２３がモアの刈芝排出口２１と一緒に上下に揺動するように構成する。【選択図】        図５
2004222637.tif 000002
【特許請求の範囲】
【請求項１】
モアと、前記モアの刈芝排出口から排出された刈芝を受け取って後方に案内するダクトとを機体に備えて、機体に対するモアの位置を上下に変更可能な上下位置変更機構を備えると共に、
前記モアの刈芝排出口から排出された刈芝を前記ダクトの入口に案内する案内部材を、前記モアの刈芝排出口又は前記ダクトの入口に上下に揺動自在に支持して、前記案内部材を前記モアの刈芝排出口と前記ダクトの入口とに亘って架設し、
前記モアの位置を上下に変更することに伴って、前記案内部材が前記モアの刈芝排出口と一緒に上下に揺動するように構成してある乗用型芝刈機。
【請求項２】
前記案内部材を下方に付勢する付勢機構を備えてある請求項１に記載の乗用型芝刈機。
【発明の詳細な説明】
【０００１】
【発明の属する技術分野】
本発明は乗用型芝刈機において、モアで刈り取った刈芝を後方に案内する構造に関する。
【０００２】
【従来の技術】
乗用型芝刈機としては例えば特許文献１に開示されているように、モアに刈芝排出口（特許文献１の図４及び図５中の１３）が備えられ、ダクト（特許文献１の図２及び図４中の４）及び集草部（特許文献１の図１及び図２中のＣ）が機体に備えられて、モアの刈芝排出口がダクトに挿入されるように構成されたものがある。これにより、モアの刈芝排出口から排出された刈芝が、ダクトを介して後方に案内され集草部に供給される。集草部を備えない場合には、モアの刈芝排出口から排出された刈芝が、ダクトを介して後方に放出される。
【０００３】
【特許文献１】
特開２００１−４５８２７号公報（図２，４，５，１０）
【０００４】
【発明が解決しようとする課題】
乗用型芝刈機では、機体に対するモアの位置を上下に変更可能な上下位置変更機構を備えることにより、モアによる芝の刈り高さを変更したり、移動走行時等にモアを大きく持ち上げて、モアが地面の障害物に当たったりしないようにすることがある。
【０００５】
特許文献１の構造において、機体に対するモアの位置を上下に変更可能な上下位置変更機構を備える場合、ダクトは機体に備えられて位置は上下に変化しないので、モアの刈芝排出口とダクトの入口との間に上下方向の隙間（段差）を備えて、機体に対するモアの位置を上下に支障なく変更できるように構成する必要がある。しかしながら、モアの刈芝排出口とダクトの入口との間に上下方向の隙間（段差）を備えると、前述の隙間（段差）に刈芝が引っ掛かって詰まりに発展するおそれがある。
本発明は乗用型芝刈機において、機体に対するモアの位置を上下に変更可能に構成した場合、モアの刈芝排出口から排出された刈芝を、ダクトを介して支障なく後方に案内することができるように構成することを目的としている。
【０００６】
【課題を解決するための手段】
［Ｉ］
乗用型芝刈機において、モアと、モアの刈芝排出口から排出された刈芝を受け取って後方に案内するダクトとを機体に備えて、機体に対するモアの位置を上下に変更可能な上下位置変更機構を備えた場合、
請求項１の特徴によると、モアの刈芝排出口から排出された刈芝をダクトの入口に案内する案内部材を、モアの刈芝排出口又はダクトの入口に上下に揺動自在に支持して、案内部材をモアの刈芝排出口とダクトの入口とに亘って架設し、モアの位置を上下に変更することに伴って、案内部材がモアの刈芝排出口と一緒に上下に揺動するように構成してある。
【０００７】
請求項１の特徴によると、機体に対するモアの位置を上下に変更可能な上下位置変更機構を備えて、モアの刈芝排出口とダクトの入口との間に上下方向の隙間（段差）を備えても、案内部材がモアの刈芝排出口とダクトの入口とに亘って架設されているので、モアの刈芝排出口から排出された刈芝が案内部材によりダクトの入口に案内されるようになり、前述の隙間（段差）に刈芝が引っ掛かるような状態が少なくなる。
【０００８】
請求項１の特徴によると、機体に対するモアの位置を上下に変更しても、案内部材がモアの刈芝排出口と一緒に上下に揺動するので、機体に対するモアの位置を上下に変更した際に、案内部材がモアの刈芝排出口やダクトの入口から離れるようなことがない。これにより、機体に対するモアの位置を上下に変更しても、モアの刈芝排出口から排出された刈芝が案内部材によりダクトの入口に安定して案内される。
【０００９】
［ＩＩ］
請求項２の特徴によると、請求項１の場合と同様に前項［Ｉ］に記載の「作用」を備えており、これに加えて以下のような「作用」を備えている。
請求項２の特徴によると、案内部材を下方に付勢する付勢機構を備えている。これにより、請求項２の特徴によると、機体に対するモアの位置を上下に変更した際に、案内部材が適切に追従して上下に揺動するようになるのであり、機体に対するモアの位置を上下に変更した際に、案内部材が適切に上下に揺動しないと言うような状態が生じ難い。
【００１０】
【発明の実施の形態】
図１及び図２に示すように、機体フレーム１に右及び左の前輪２が備えられ、右及び左の後輪３が備えられて機体が構成されており、右及び左の前輪２と右及び左の後輪３との間にモア４が備えられ、機体の後部に箱状の集草部５が備えられて、乗用型芝刈機が構成されている。
【００１１】
図１及び図２に示すように、機体フレーム１の中央の上部に運転座席６が備えられ、運転座席６の後方にエンジン７が備えられており、エンジン７の動力が伝動軸８を介して伝動ケース９に伝達されている。右及び左の静油圧式無段変速装置１０が備えられ、右及び左の静油圧式無段変速装置１０から下方に右及び左の伝動ケース１１が延出されて、右及び左の伝動ケース１１に右及び左の後輪３が支持されている。これにより、伝動ケース９の動力が右及び左の静油圧式無段変速装置１０、右及び左の伝動ケース１１を介して、右及び左の後輪３に伝達される。
【００１２】
図１及び図２に示すように、右及び左の前輪２は、前部の縦軸芯Ｐ１周りに自由に向きを変えるキャスター車輪に構成されている。右及び左の静油圧式無段変速装置１０は前進及び後進の高速側に無段階に変速自在に構成されており、右及び左の静油圧式無段変速装置１０を操作する右及び左の変速レバー１６が、運転座席６の右及び左横側に備えられている。従って、右及び左の変速レバー１６により、右及び左の静油圧式無段変速装置１０を独立に前進及び後進の高速側、中立位置に操作することによって、機体を前進及び後進、停止、右及び左旋回させる。
【００１３】
図１及び図２に示すように、伝動ケース９の内部に作業クラッチ（図示せず）が備えられており、作業クラッチの動力が伝動軸１２を介して前部の伝動ケース１３に伝達されて、伝動軸１４を介してモア４の入力ケース１５に伝達されている。モア４はモアデッキ１７の内部に２つの刈刃１８を縦軸芯周りに回転自在に備えて構成されており、入力ケース１５がモアデッキ１７の左側の上部に備えられて、入力ケース１５に伝達された動力により左の刈刃１８が図２の紙面時計方向に回転駆動される。入力ケース１５に伝達された動力が伝動ベルト１９により右の刈刃１８に伝達されて、右の刈刃１８が図２の紙面反時計方向に回転駆動される。
【００１４】
図１に示すように、機体フレーム１にリンク２０が上下に揺動自在に支持されて、リンク２０が斜め後方下方に延出されており、リンク２０にモア４が支持されている。リンク２０を上方に駆動する単動型の油圧シリンダ（図示せず）、油圧シリンダに作動油を供給及び排出する制御弁（図示せず）、制御弁を操作する操作ペダル（図示せず）が備えられており、リンク２０の下限位置を決めるストッパー機構（図示せず）が備えられている。
【００１５】
以上の構造により、作業走行時は自重によりモア４を下降させておくのであり（リンク２０の下限位置）、ストッパー機構によりリンク２０の下限位置を上下に変更することによって、機体に対するモア４の位置を上下に変更する（モア４による芝の刈り高さを上下に変更する）。移動走行時は操作ペダルを踏み操作して油圧シリンダにより、モア４を上限位置（リンク２０の上限位置）に上昇駆動するのであり、これによってモア４が地面の障害物に当たったりしないようにすることができる。
【００１６】
図１及び図２に示すように、モアデッキ１７の左右中央の後部に、斜め後方上方に向く刈芝排出口２１が備えられている。図３（イ）及び図５に示すように、刈芝排出口２１は斜め後方上方に向く天井部２１ａ、右及び左の横壁部２１ｂ、斜め後方上方に向く底板部２１ｃを備えて構成されており、天井部２１ａよりも右及び左の横壁部２１ｂ、底板部２１ｃが後方に突出している。
【００１７】
図１及び図２に示すように、右及び左の伝動ケース１１の間において、ダクト２２が機体に固定されており、ダクト２２が斜め後方上方に延出されて、ダクト２２の後部が集草部５に接続されている。図３（イ）及び図５に示すように、ダクト２２は天井部２２ａ、右及び左の横壁部２２ｂを備えて構成されており、ダクト２２の前半部（モア４側）に底板部は備えられておらず、ダクト２２の後半部（集草部５側）に底板部（図示せず）が備えられている。
【００１８】
図３（イ）に示すように、刈芝排出口２１における右及び左の横壁部２１ｂの間隔よりも、ダクト２２の入口２２ｃにおける右及び左の横壁部２２ｂの間隔が少し広いものに構成されており、刈芝排出口２１がダクト２２の入口２２ｃに挿入されている（ダクト２２の入口２２ｃの右及び左の横壁部２２ｂが外側に位置し、刈芝排出口２１の右及び左の横壁部２１ｂが内側に位置している）。
【００１９】
図３（イ）及び図５に示すように、下向きのチャンネル状の案内部材２３が備えられており、案内部材２３にブラケット２４が固定され、ダクト２２の入口２２ｃの天井部２２ａにブラケット２５が固定されて、ブラケット２４（案内部材２３）が、ブラケット２５の機体左右方向の横軸芯Ｐ２周りに上下に揺動自在に支持されている。モアデッキ１７に固定されたブラケット２６と案内部材２３とに亘って、引っ張りバネ２７が接続されている。弾性を備えた比較的柔らかい樹脂板２８が案内部材２３の裏面に固定されて、樹脂板２８がダクト２２の入口２２ｃの天井部２２ａの裏面に当て付けられている。
【００２０】
以上の構造によって、図３（イ）及び図５に示すように、引っ張りバネ２７の付勢力により案内部材２３が下方に付勢されて、案内部材２３の端部が刈芝排出口２１の天井部２１ａに乗せ付けられている。刈芝排出口２１がダクト２２の入口２２ｃに挿入された状態で、刈芝排出口２１の天井部２１ａ、右及び左の横壁部２１ｂと、ダクト２２の入口２２ｃの天井部２２ａ、右及び左の横壁部２２ｂとの間に、上下方向の隙間（段差）が生じているのであり、前述の隙間（段差）が案内部材２３によって覆われている。この場合、刈芝排出口２１における右及び左の横壁部２１ｂの間隔よりも、案内部材２３の横幅が広いものに構成されており、案内部材２３が外側に位置し、刈芝排出口２１の右及び左の横壁部２１ｂが内側に位置している。
【００２１】
従って、モア４を下限位置に下降させたり（図３（イ）参照）、モア４を上限位置に上昇させたりしても（図３（ロ）参照）、刈芝排出口２１及びダクト２２の入口２２ｃは互いに干渉しないのであり、モア４に伴って案内部材２３が上下に揺動するので、前述の隙間（段差）が案内部材２３によって覆われている。
これにより、モア４で刈り取られた刈芝が刈芝排出口２１から排出されて、ダクト２２の入口２２ｃに案内されるのであり、ダクト２２から集草部５に供給される。
【００２２】
図４に示すように、引っ張りバネ２７をブラケット２６から取り外し、引っ張りバネ２７を機体フレーム１に掛けることができ、案内部材２３を大きく持ち上げた状態に保持しておくことができる。これにより、図１に示すリンク２０からモア４を取り外し、伝動軸１４をモア４から取り外して、モア４を機体から右又は左の横外方に出す場合に、案内部材２３が刈芝排出口２１に干渉することがなく、案内部材２３が邪魔になるようなことがない。
【００２３】
［発明の実施の別形態］
前述の［発明の実施の形態］において、案内部材２３を刈芝排出口２１に上下に揺動自在に取り付けて、引っ張りバネ２７を案内部材２３とダクト２２とに亘って接続するように構成してもよい。
引っ張りバネ２７を案内部材２３とモアデッキ１７のブラケット２６（又はダクト２２）とに亘って接続するのではなく、ブラケット２４，２５の部分に取り付けて、案内部材２３（ブラケット２４）を下方に付勢するように構成してもよい。引っ張りバネ２７を廃止し、自重によって案内部材２３が下方に揺動するように構成してもよい。
【００２４】
前述の［発明の実施の形態］において、集草部５を廃止して、モア４で刈り取られた刈芝が刈芝排出口２１から排出されて、ダクト２２の入口２２ｃに案内され、ダクト２２から後方に放出されるように構成してもよい。
モアデッキ１７の左右中央の後部に刈芝排出口２１を備えたり、右及び左の伝動ケース１１の間にダクト２２を備えるのではなく、モアデッキ１７の右又は左の端部に刈芝排出口２１を備え、右又は左の後輪３の横外側にダクト２２を備えるように構成してもよい。
【００２５】
【発明の効果】
請求項１の特徴によると、乗用型芝刈機において、機体に対するモアの位置を上下に変更可能に構成した場合、案内部材がモアの刈芝排出口とダクトの入口とに亘って架設され、機体に対するモアの位置を上下に変更しても、案内部材がモアの刈芝排出口やダクトの入口から離れるようなことがないように構成することにより、モアの刈芝排出口から排出された刈芝が案内部材によりダクトの入口に安定して案内され、ダクトから後方に案内されるようになって、乗用型芝刈機の作業性能を向上させることができた。
【００２６】
請求項２の特徴によると、請求項１の場合と同様に前述の請求項１の「発明の効果」を備えており、この「発明の効果」に加えて以下のような「発明の効果」を備えている。
請求項２の特徴によると、案内部材を下方に付勢する付勢機構を備えることにより、機体に対するモアの位置を上下に変更した際に、案内部材が適切に追従して上下に揺動するようになるので、モアの刈芝排出口から排出された刈芝が案内部材によりダクトの入口に安定して案内され、ダクトから後方に案内されるようになって、乗用型芝刈機の作業性能を向上させることができた。
【図面の簡単な説明】
【図１】乗用型芝刈機の全体側面図
【図２】乗用型芝刈機の全体平面図
【図３】モアの刈芝排出口及びダクトの入口、案内部材の付近の縦断側面図
【図４】案内部材を大きく持ち上げて保持した状態でのモアの刈芝排出口及びダクトの入口の付近の縦断側面図
【図５】モアの刈芝排出口及びダクトの入口、案内部材の付近の斜視図
【符号の説明】
４        モア
２１      刈芝排出口
２２      ダクト
２２ｃ    ダクトの入口
２３      案内部材
２７      付勢機構
【図１】
2004222637.tif 000003
【図２】
2004222637.tif 000004
【図３】
2004222637.tif 000005
【図４】
2004222637.tif 000006
【図５】
2004222637.tif 000007